(57)【要約】【課題】端末を所持して移動中の利用者が、自己の要求するウェブコンテンツを、相互に離間した地点に設置された複数のアクセスポイントを利用して効率よく受け取れるようにすることを目的とする。【解決手段】フリースポット（第１通信エリアＡＲ１）から他のフリースポット（第２通信エリアＡＲ２）に移動する予定の端末５０，６０の所有者は、移動前に端末５０，６０から第１通信エリアＡＲ１内のアクセスポイント２０にオフラインでアクセスし、所望のウェブコンテンツの取得を予約する。予約を受け付けたアクセスポイント２０は予約情報をアクセスポイント１２０に送信する。予約情報を受信した予約情報に基づいてウェブサーバにオンラインでアクセスし予約されたウェブコンテンツを取得する。端末５０，６０の所有者は、移動先でのアクセスポイント１２０にオフラインでアクセスすることにより、所望のウェブコンテンツを受け取ることができる。【選択図】        図１
2004187133.tif 000002
【特許請求の範囲】
【請求項１】
無線ＬＡＮ用の中継器であるアクセスポイントを相互に離間した複数の地点に設置することにより、各アクセスポイントに対応した無線通信エリアを、各アクセスポイントから発信された電波が届く範囲に形成し、一のアクセスポイントに対応する無線通信エリア内に所定の端末が入った場合に、該端末から前記一のアクセスポイントへのアクセスにより、インターネットを介したコンテンツの取得を予約し、該予約後に、前記端末が、前記一のアクセスポイント以外のアクセスポイントに対応する無線通信エリア内に入った場合に、該端末から前記一のアクセスポイント以外のアクセスポイントへのアクセスにより、前記予約されたデータを受け取るコンテンツの予約受取システムであって、
前記一のアクセスポイントは、
前記一のアクセスポイントに対応する無線通信エリア内に入った端末からのアクセスにより、受け取りを希望するコンテンツを特定する情報であるコンテンツ特定情報、前記コンテンツを受け取る場所として、前記一のアクセスポイントに対応した無線通信エリア外の場所を特定する情報である場所特定情報、および前記コンテンツを受け取る者を特定する情報である受取者特定情報を入力する入力手段と、
該入力された場所特定情報によって特定された場所を含む無線通信エリアを検索し、該検索された無線通信エリアをカバーするアクセスポイントを対象アクセスポイントとして決定する決定手段と、
該決定された対象アクセスポイントに、前記入力された受取者特定情報を、前記受け取りを希望するコンテンツに関する情報と関連付けて、インターネットを介して送出する送出手段と
を備え、
前記対象アクセスポイントは、
前記コンテンツ特定情報に基づいて前記インターネット上のウェブサーバにアクセスすることにより取得された前記受け取りを希望するコンテンツを、前記受取者特定情報と関連付けて記憶する記憶手段と、
前記端末からのアクセスがなされたとき、前記受取者特定情報の入力を要求し、該入力された受取者特定情報と前記記憶された受取者特定情報とが一致することを条件として、当該アクセスが正規のアクセスであることを認証する認証手段と、
該認証手段より正規のアクセスであることが認証された場合に、当該受取者特定情報に関連付けられて記憶された前記コンテンツを前記端末に送信する送信手段と
を備えた
コンテンツの予約受取システム。
【請求項２】
請求項１に記載のコンテンツの予約受取システムであって、
前記送出手段は、前記取得を希望するコンテンツに関する情報として、前記コンテンツ特定情報を送出する手段であり、
前記対象アクセスポイントは、受け取った前記コンテンツ特定情報に基づいて前記インターネットに接続されたウェブサーバにアクセスすることにより、前記取得を希望するコンテンツを、前記端末の前記対象アクセスポイントに対応する無線通信エリア内への移動に先立って取得するコンテンツ取得手段を備えた
コンテンツの予約受取システム。
【請求項３】
前記入力手段は、前記受取者特定情報に替えて、コンテンツを受け取る端末を特定するハードウェアに固有の情報を入力する手段である請求項１または２に記載のコンテンツの予約受取システム。
【請求項４】
所定の周波数の電波を発信する無線ＬＡＮ用の中継器であって、前記発信された電波が届く範囲に形成された無線通信エリア内に所定の端末が入った場合に、該端末からの所定の指示に基づいて該端末をインターネットに接続するアクセスポイントであって、
前記端末からインターネットを介したコンテンツの取得の予約を受け付ける手段として、
前記無線通信エリア内に入った端末からのアクセスにより、受け取りを希望するコンテンツを特定する情報であるコンテンツ特定情報および該コンテンツを受け取る者を特定する情報である受取者特定情報を入力する入力手段と、
該入力手段による入力がなされたことを条件として、前記受け取りを希望するコンテンツの予約を受け付け、前記入力されたコンテンツ特定情報および受取者特定情報を、インターネットを介して他のアクセスポイントに送出する送出手段と
を備え、
前記取得が予約されたコンテンツを前記所定の端末に提供する手段として、
前記他のアクセスポイントから前記コンテンツ特定情報および前記受取者特定情報を受け取った場合に、該コンテンツ特定情報に基づいて前記インターネット上のウェブサーバにアクセスすることにより、前記取得が予約されたコンテンツを取得する取得手段と、
該取得されたコンテンツを前記受取者特定情報と関連付けて記憶する記憶手段と、
無線通信エリア内に入った端末からのアクセスがなされたとき、前記受取者特定情報の入力を要求し、該入力された受取者特定情報と前記記憶された受取者特定情報とが一致することを条件として、当該アクセスが正規のアクセスであることを認証する認証手段と、
該認証手段より正規のアクセスであることが認証された場合に、当該受取者特定情報と関連付けて記憶された前記コンテンツを前記端末に送信する送信手段と
を備えたアクセスポイント。
【請求項５】
相互に離間した第１の地点，第２の地点のそれぞれに、無線ＬＡＮ用の中継器であるアクセスポイントを設置し、前記第１の地点に設置された第１アクセスポイントから発信された電波が届く範囲である第１無線通信エリア内に所定の端末が入った場合に、該端末から前記第１アクセスポイントへのアクセスにより、インターネットを介したコンテンツの取得を予約し、該予約後に、前記端末が、前記第２の地点に設置された第２アクセスポイントから発信された電波が届く範囲である第２無線通信エリア内に入った場合に、該端末から前記第２アクセスポイントへのアクセスにより、前記予約されたコンテンツを受け取るコンテンツの予約受取方法であって、
前記第１無線通信エリア内に入った端末からの前記第１アクセスポイントへのアクセスにより、受け取りを希望するコンテンツを特定する情報であるコンテンツ特定情報、前記コンテンツを受け取る場所として、前記第２無線通信エリア内の場所を特定する情報である場所特定情報、および前記コンテンツを受け取る者を特定する情報である受取者特定情報を入力し、
該入力された前記コンテンツ特定情報に基づいて、前記第１アクセスポイントまたは前記第２アクセスポイントのいずれかが前記インターネット上のウェブサーバにアクセスすることにより、前記受け取りを希望するコンテンツを取得し、
該取得されたコンテンツを、前記第２アクセスポイントが、前記受取者特定情報と関連付けて記憶し、
当該記憶後に、前記第２無線通信エリア内に入った端末から前記第２アクセスポイントへのアクセスがなされたとき、前記受取者特定情報の入力を要求し、該入力された受取者特定情報と前記記憶された受取者特定情報とが一致することを条件として、当該アクセスが正規のアクセスであることを認証し、
正規のアクセスであることが認証された場合に、当該受取者特定情報に関連付けられて記憶された前記コンテンツを前記端末に送信する
コンテンツの予約受取方法。
【請求項６】
無線ＬＡＮ用の中継器であるアクセスポイントを相互に離間した複数の地点に設置することにより、各アクセスポイントに対応した無線通信エリアを、各アクセスポイントから発信された電波が届く範囲に形成し、一のアクセスポイントに対応する無線通信エリア内に所定の端末が入った場合に、該端末から前記一のアクセスポイントへのアクセスにより、前記一のアクセスポイント以外のアクセスポイントに接続された記憶装置内に、通信回線を介して取得されるデータの格納スペースを確保し、該確保の後に、前記端末が、前記一のアクセスポイント以外のアクセスポイントに対応する無線通信エリア内に入った場合に、該端末から前記一のアクセスポイント以外のアクセスポイントへのアクセスにより、前記格納スペースに格納されたデータを受け取るデータ受取システムであって、
前記一のアクセスポイントは、
前記一のアクセスポイントに対応する無線通信エリア内に入った端末からのアクセスにより、前記データを受け取る場所として、前記一のアクセスポイントに対応した無線通信エリア外の場所を特定する情報である場所特定情報、および前記データを受け取る者を特定する情報である受取者特定情報を入力する入力手段と、
該入力された場所特定情報によって特定された場所を含む無線通信エリアを検索し、該検索された無線通信エリアをカバーするアクセスポイントを対象アクセスポイントとして決定する決定手段と、
該決定された対象アクセスポイントに、前記入力された受取者特定情報を、通信回線を介して送出する送出手段と
を備え、
前記対象アクセスポイントは、
該対象アクセスポイントに接続された記憶装置内に、前記受取者特定情報を記憶すると共に、該受取者特定情報と関連付けられた、前記通信回線を介して取得されるデータの格納スペースを設ける格納スペース設立手段と、
前記端末からのアクセスがなされたとき、前記受取者特定情報の入力を要求し、該入力された受取者特定情報と前記記憶された受取者特定情報とが一致することを条件として、当該アクセスが正規のアクセスであることを認証する認証手段と、
該認証手段より正規のアクセスであることが認証された場合に、当該受取者特定情報に関連付けて設けられた格納スペースに格納されているデータを前記端末に送信する送信手段と
を備えた
データ受取システム。
【請求項７】
請求項６記載のデータ受取システムであって、
前記通信回線は、専用の通信回線、インターネット、インターネットなどのネットワーク上に仮想的に形成された閉域網のいずれか一つであるデータ受取システム。
【発明の詳細な説明】
【０００１】
【発明の属する技術分野】
本発明は、所定の端末から一のアクセスポイントへのアクセスにより、インターネットを介したコンテンツの取得を予約し、該予約されたコンテンツを、前記端末から前記一のアクセスポイントとは離間した地点に設置されたアクセスポイントへのアクセスによって受け取るコンテンツの予約受取技術等に関する。
【０００２】
【従来の技術】
近年、無線ＬＡＮ用の中継器であるアクセスポイントは、離れた位置にある複数のコンピュータをインターネットに接続するデバイスとして、自宅やオフィス内等の特定人が継続的に活動する場所（以下、プライベートスペースという）のみならず、ホテルや空港，商店街，公園，駅等の不特定多数の人が一時的に活動する場所（以下、パブリックスペースという）でも利用され始めている。例えば、アクセスポイントを、ｘＤＳＬ回線やＣＡＴＶ回線等の高速なインターネット接続サービスを実現するブロードバンド回線に接続してパブリックスペースに配置することにより、アクセスポイントから発信された電波が届く範囲（無線通信エリア）内にいる不特定多数人に対して自由にインターネットに接続できる空間（以下、フリースポットという）を提供するサービスが提案されている（例えば、非特許文献１を参照）。即ち、パブリックスペースの管理者が加入しているブロードバンド回線を、無線ＬＡＮ用のアクセスポイントを用いてパブリックスペースの利用者が所持する端末に開放するのである。これにより、利用者によるインターネット接続の利便性が高まり、パブリックスペースの利用促進を図ることができる。
【０００３】
【非特許文献１】
ＦＲＥＥＳＰＯＴ協議会、ｆｒｅｅｓｐｏｔ．ｎｅｔ、“ＦＲＥＥＳＰＯＴとは”、［ｏｎｌｉｎｅ］、２００２年７月２日、ＦＲＥＥＳＰＯＴ協議会、［２００２年１１月１８日検索］、インターネット＜ＵＲＬ：  ｈｔｔｐ：／／ｗｗｗ．ｆｒｅｅｓｐｏｔ．ｎｅｔ／ｉｎｄｅｘ．ｈｔｍｌ＞
【０００４】
【発明が解決しようとする課題】
しかしながら、上記従来の手法では、インターネットへの接続を指示してから所望のコンテンツやデータを受け取るまでには、特に大容量のデータの場合、相当の時間を要するため、フリースポットで所望のコンテンツやデータを得ようとする利用者は、該コンテンツやデータのダウンロードが完了するまで一のフリースポットに居続けなければならず、移動中の利用者にとって不便な場合があった。
【０００５】
例えば、フリースポットである駅で電車を待っている利用者が、駅に設置されたアクセスポイントを通じてインターネットに接続し、所望のコンテンツを得ようとした場合において、乗車する電車がまもなく到着してしまうときや得ようとするコンテンツのページ数が多いとき等には、コンテンツのダウンロードを乗車前に完了することができず、ダウンロードを完了させるためには、駅に止まって利用者のその後のスケジュールを遅らせなければならなかった。
【０００６】
特に、フリースポットでのインターネットを介したコンテンツのダウンロードに要する時間は、不特定多数人に開放されたブロードバンド回線の混み具合に応じて変化する。このため、ダウンロードに要する時間を利用者が予測することは困難であり、電車の到着までに十分な時間があると思ってインターネットに接続したが、実際にはデータの転送速度が予想外に遅く、結局、ダウンロードを完了できないというケースもあった。
【０００７】
そこで、本発明は、上記の課題を解決し、端末を所持して移動中の利用者が、自己の要求するコンテンツやデータを、相互に離間した地点に設置された複数のアクセスポイントを利用して効率よく受け取れるようにすることを目的として、以下の構成を採った。
【０００８】
【課題を解決するための手段およびその作用・効果】
本発明のコンテンツの予約受取システムは、
無線ＬＡＮ用の中継器であるアクセスポイントを相互に離間した複数の地点に設置することにより、各アクセスポイントに対応した無線通信エリアを、各アクセスポイントから発信された電波が届く範囲に形成し、一のアクセスポイントに対応する無線通信エリア内に所定の端末が入った場合に、該端末から前記一のアクセスポイントへのアクセスにより、インターネットを介したコンテンツの取得を予約し、該予約後に、前記端末が、前記一のアクセスポイント以外のアクセスポイントに対応する無線通信エリア内に入った場合に、該端末から前記一のアクセスポイント以外のアクセスポイントへのアクセスにより、前記予約されたコンテンツを受け取るコンテンツの予約受取システムであって、
前記一のアクセスポイントは、
前記一のアクセスポイントに対応する無線通信エリア内に入った端末からのアクセスにより、受け取りを希望するコンテンツを特定する情報であるコンテンツ特定情報、前記コンテンツを受け取る場所として、前記一のアクセスポイントに対応した無線通信エリア外の場所を特定する情報である場所特定情報、および前記コンテンツを受け取る者を特定する情報である受取者特定情報を入力する入力手段と、
該入力された場所特定情報によって特定された場所を含む無線通信エリアを検索し、該検索された無線通信エリアをカバーするアクセスポイントを対象アクセスポイントとして決定する決定手段と、
該決定された対象アクセスポイントに、前記入力された受取者特定情報を、前記受け取りを希望するコンテンツに関する情報と関連付けて、インターネットを介して送出する送出手段と
を備え、
前記対象アクセスポイントは、
前記コンテンツ特定情報に基づいて前記インターネット上のウェブサーバにアクセスすることにより取得された前記受け取りを希望するコンテンツを、前記受取者特定情報と関連付けて記憶する記憶手段と、
前記端末からのアクセスがなされたとき、前記受取者特定情報の入力を要求し、該入力された受取者特定情報と前記記憶された受取者特定情報とが一致することを条件として、当該アクセスが正規のアクセスであることを認証する認証手段と、
該認証手段より正規のアクセスであることが認証された場合に、当該受取者特定情報に関連付けられて記憶された前記コンテンツを前記端末に送信する送信手段と
を備えたことを要旨とする。
【０００９】
本発明のコンテンツの予約受取システムでは、一のアクセスポイントに対応する無線通信エリア内に所定の端末が入った場合に、該端末から前記一のアクセスポイントへのアクセスにより、インターネットを介したコンテンツの取得を予約する。こうした予約は、一のアクセスポイントが、前記端末から、受け取りを希望するコンテンツを特定するコンテンツ特定情報、コンテンツを受け取る場所を特定する場所特定情報、およびコンテンツを受け取る者を特定する受取者特定情報を入力し、該場所特定情報に基づいて決定された対象アクセスポイントに、受取者特定情報を、受け取りを希望するコンテンツに関する情報と関連付けて、インターネットを介して送出し、該送出された各情報を対象アクセスポイントが受け取ることによって実現される。なお、こうしたコンテンツとしては、テキスト、画像、音声、動画、あるいはこれらの組合わせなど、種々のものを考えることができる。また、受け取ろうとするこれらのコンテンツは、いわゆるウェブサーバ上に置かれたウェブコンテンツでもよいし、ＦＴＰなどのプロトコルによりネットワークを介して受け取る通常のファイルであってもよい。また、「コンテンツに関する情報」としては、コンテンツのＵＲＬ等のコンテンツ特定情報や、コンテンツの内容を表わすデータ等を考えることができる。
【００１０】
この後、コンテンツ特定情報に基づいてインターネット上のウェブサーバにアクセスすることにより、受け取りを希望するコンテンツが取得されるが、このアクセスの主体は、一のアクセスポイント，対象アクセスポイントのいずれであっても差し支えない。つまり、一のアクセスポイントがコンテンツを取得し、このコンテンツの内容を表わすデータを、受取者特定情報と関連付けて対象アクセスポイントに送出してもよいし、対象アクセスポイントが、一のアクセスポイントから受け取ったコンテンツ特定情報に基づいて前記インターネットに接続されたウェブサーバにアクセスすることにより、前記取得を希望するコンテンツを、前記端末の前記対象アクセスポイントに対応する無線通信エリア内への移動に先立って取得してもよい。後者の場合には、一のアクセスポイントと他のアクセスポイントとの間でコンテンツの内容を表わすデータを伝送する必要がなく、インターネット専用回線の混雑を抑制することができる。
【００１１】
こうして取得されたコンテンツは、対象アクセスポイントによって、受取者特定情報と関連付けて記憶される。これにより、予約されたコンテンツの内容が確保される。この後、前記端末が、対象アクセスポイントに対応する無線通信エリア内に入り、該端末から対象アクセスポイントへのアクセスがなされたとき、対象アクセスポイントは、受取者特定情報の入力を要求し、該入力された受取者特定情報と前記記憶された受取者特定情報とが一致することを条件として、当該アクセスが正規のアクセスであることを認証し、正規のアクセスであることが認証された場合に、当該受取者特定情報に関連付けられて記憶されたコンテンツを端末に送信する。
【００１２】
このような本発明によれば、一のアクセスポイントに対応する無線通信エリアから他のアクセスポイントに対応する無線通信エリアに移動する予定の端末所有者は、移動前に端末から一のアクセスポイントにオフライン（インターネットに接続されていない状態）でアクセスすることにより所望のコンテンツの取得を予約しておけば、当該予約後にアクセスポイントがオンライン（インターネットに接続された状態）でウェブサーバにアクセスして予約されたコンテンツが自動的に取得されるので、所望のコンテンツを、移動先での対象アクセスポイントに対するオフラインでのアクセスによって受け取ることができる。従って、所望のコンテンツを、所望の場所で、かつ、回線の混雑状況に関係なく短いダウンロード時間で受け取ることが可能となる。この受け取りに際しては、予約時に入力された受取者特定情報に基づく認証が条件とされるので、取得を予約したコンテンツが第三者に閲覧されてしまうことがなく、セキュリティを確保することができる。
【００１３】
上記の発明において、入力手段を、受取者特定情報に替えて、コンテンツを受け取る端末を特定するハードウェアに固有の情報を入力する手段としてもよい。こうすれば、予約に用いた端末でコンテンツの内容を表わすデータを受け取ることが可能となり、データを一元化することができる。
【００１４】
本発明のアクセスポイントは、
所定の周波数の電波を発信する無線ＬＡＮ用の中継器であって、前記発信された電波が届く範囲に形成された無線通信エリア内に所定の端末が入った場合に、該端末からの所定の指示に基づいて該端末をインターネットに接続するアクセスポイントであって、
前記端末からインターネットを介したコンテンツの取得の予約を受け付ける手段として、
前記無線通信エリア内に入った端末からのアクセスにより、受け取りを希望するコンテンツを特定する情報であるコンテンツ特定情報および該コンテンツを受け取る者を特定する情報である受取者特定情報を入力する入力手段と、
該入力手段による入力がなされたことを条件として、前記受け取りを希望するコンテンツの予約を受け付け、前記入力されたコンテンツ特定情報および受取者特定情報を、インターネットを介して他のアクセスポイントに送出する送出手段と
を備え、
前記取得が予約されたコンテンツを前記所定の端末に提供する手段として、
前記他のアクセスポイントから前記コンテンツ特定情報および前記受取者特定情報を受け取った場合に、該コンテンツ特定情報に基づいて前記インターネット上のウェブサーバにアクセスすることにより、前記取得が予約されたコンテンツを取得する取得手段と、
該取得されたコンテンツを前記受取者特定情報と関連付けて記憶する記憶手段と、
無線通信エリア内に入った端末からのアクセスがなされたとき、前記受取者特定情報の入力を要求し、該入力された受取者特定情報と前記記憶された受取者特定情報とが一致することを条件として、当該アクセスが正規のアクセスであることを認証する認証手段と、
該認証手段より正規のアクセスであることが認証された場合に、当該受取者特定情報と関連付けて記憶された前記コンテンツを前記端末に送信する送信手段と
を備えたことを要旨とする。
【００１５】
本発明のアクセスポイントでは、無線通信エリア内に入った端末からインターネットを介したコンテンツの取得の予約を受け付ける場合に、端末からのアクセスにより、前記コンテンツ特定情報および前記受取者特定情報が入力されたことを条件として、受け取りを希望するコンテンツの予約を受け付け、コンテンツ特定情報および受取者特定情報を、インターネットを介して他のアクセスポイントに送出する。一方、取得が予約されたコンテンツを所定の端末に提供する場合には、他のアクセスポイントから受け取ったコンテンツ特定情報に基づいてインターネット上のウェブサーバにアクセスすることにより、取得が予約されたコンテンツを取得し、コンテンツを、他のアクセスポイントから受け取った受取者特定情報と関連付けて記憶する。こうした記憶の後、無線通信エリア内に入った端末からのアクセスがなされたとき、受取者特定情報の入力を要求し、該入力された受取者特定情報と前記記憶された受取者特定情報とが一致することを条件として、当該アクセスが正規のアクセスであることを認証し、正規のアクセスであることが認証された場合に、当該受取者特定情報に関連付けられて記憶されたコンテンツを端末に送信する。
【００１６】
このような本発明によれば、無線通信エリアに入っている端末から所望のコンテンツの取得の予約をオフラインでのアクセスによって受け付け、他の無線通信エリアで取得が予約されたコンテンツを、オフラインでのアクセスによって提供することができる。従って、端末は、取得を予約したコンテンツを、予約時とは異なる場所で、かつ、回線の混雑状況に関係なく短いダウンロード時間で受け取ることが可能となる。この受け取りに際しては、予約時に入力された受取者特定情報に基づく認証が条件とされるので、取得を予約したコンテンツが第三者に閲覧されてしまうことがなく、セキュリティを確保することができる。
【００１７】
本発明のコンテンツの予約受取方法は、
相互に離間した第１の地点，第２の地点のそれぞれに、無線ＬＡＮ用の中継器であるアクセスポイントを設置し、前記第１の地点に設置された第１アクセスポイントから発信された電波が届く範囲である第１無線通信エリア内に所定の端末が入った場合に、該端末から前記第１アクセスポイントへのアクセスにより、インターネットを介したコンテンツの取得を予約し、該予約後に、前記端末が、前記第２の地点に設置された第２アクセスポイントから発信された電波が届く範囲である第２無線通信エリア内に入った場合に、該端末から前記第２アクセスポイントへのアクセスにより、前記予約されたコンテンツを受け取るコンテンツの予約受取方法であって、
前記第１無線通信エリア内に入った端末からの前記第１アクセスポイントへのアクセスにより、受け取りを希望するコンテンツを特定する情報であるコンテンツ特定情報、前記コンテンツを受け取る場所として、前記第２無線通信エリア内の場所を特定する情報である場所特定情報、および前記コンテンツを受け取る者を特定する情報である受取者特定情報を入力し、
該入力された前記コンテンツ特定情報に基づいて、前記第１アクセスポイントまたは前記第２アクセスポイントのいずれかが前記インターネット上のウェブサーバにアクセスすることにより、前記受け取りを希望するコンテンツを取得し、
該取得されたコンテンツを、前記第２アクセスポイントが、前記受取者特定情報と関連付けて記憶し、
当該記憶後に、前記第２無線通信エリア内に入った端末から前記第２アクセスポイントへのアクセスがなされたとき、前記受取者特定情報の入力を要求し、該入力された受取者特定情報と前記記憶された受取者特定情報とが一致することを条件として、当該アクセスが正規のアクセスであることを認証し、
正規のアクセスであることが認証された場合に、当該受取者特定情報に関連付けられて記憶された前記コンテンツを前記端末に送信することを要旨とする。
【００１８】
本発明のコンテンツの予約受取方法では、第１無線通信エリア内に所定の端末が入った場合に、該端末から前記第１アクセスポイントへのアクセスにより、インターネットを介したコンテンツの取得を予約する。こうした予約は、第１アクセスポイントにアクセスされた端末から、前記コンテンツ特定情報、コンテンツを受け取る場所として、第２無線通信エリア内の場所を特定する情報である場所特定情報、および前記受取者特定情報を入力し、該入力されたコンテンツ特定情報に基づいて、第１アクセスポイントまたは第２アクセスポイントのいずれかがインターネット上のウェブサーバにアクセスすることにより、受け取りを希望するコンテンツを取得し、該取得されたコンテンツを、第２アクセスポイントが、受取者特定情報と関連付けて記憶することによって、完結される。こうした記憶後に、第２無線通信エリア内に入った端末から第２アクセスポイントへのアクセスがなされたとき、受取者特定情報の入力を要求し、該入力された受取者特定情報と前記記憶された受取者特定情報とが一致することを条件として、当該アクセスが正規のアクセスであることを認証し、正規のアクセスであることが認証された場合に、当該受取者特定情報に関連付けられて記憶されたコンテンツを端末に送信する。
【００１９】
このような本発明によれば、第１無線通信エリアから第２無線通信エリアに移動する予定の端末所有者は、移動前に端末から第１アクセスポイントにオフラインでアクセスすることにより所望のコンテンツの取得を予約しておけば、取得が予約されたコンテンツを、移動先での第２アクセスポイントに対するオフラインでのアクセスによって受け取ることができる。従って、所望のコンテンツを、所望の場所で、かつ、回線の混雑状況に関係なく短いダウンロード時間で受け取ることが可能となる。この受け取りに際しては、予約時に入力された受取者特定情報に基づく認証が条件とされるので、取得を予約したコンテンツが第三者に閲覧されてしまうことがなく、セキュリティを確保することができる。
【００２０】
本発明のデータ受取システムは、
無線ＬＡＮ用の中継器であるアクセスポイントを相互に離間した複数の地点に設置することにより、各アクセスポイントに対応した無線通信エリアを、各アクセスポイントから発信された電波が届く範囲に形成し、一のアクセスポイントに対応する無線通信エリア内に所定の端末が入った場合に、該端末から前記一のアクセスポイントへのアクセスにより、前記一のアクセスポイント以外のアクセスポイントに接続された記憶装置内に、通信回線を介して取得されるデータの格納スペースを確保し、該確保の後に、前記端末が、前記一のアクセスポイント以外のアクセスポイントに対応する無線通信エリア内に入った場合に、該端末から前記一のアクセスポイント以外のアクセスポイントへのアクセスにより、前記格納スペースに格納されたデータを受け取るデータ受取システムであって、
前記一のアクセスポイントは、
前記一のアクセスポイントに対応する無線通信エリア内に入った端末からのアクセスにより、前記データを受け取る場所として、前記一のアクセスポイントに対応した無線通信エリア外の場所を特定する情報である場所特定情報、および前記データを受け取る者を特定する情報である受取者特定情報を入力する入力手段と、
該入力された場所特定情報によって特定された場所を含む無線通信エリアを検索し、該検索された無線通信エリアをカバーするアクセスポイントを対象アクセスポイントとして決定する決定手段と、
該決定された対象アクセスポイントに、前記入力された受取者特定情報を、通信回線を介して送出する送出手段と
を備え、
前記対象アクセスポイントは、
該対象アクセスポイントに接続された記憶装置内に、前記受取者特定情報を記憶すると共に、該受取者特定情報と関連付けられた、前記通信回線を介して取得されるデータの格納スペースを設ける格納スペース設立手段と、
前記端末からのアクセスがなされたとき、前記受取者特定情報の入力を要求し、該入力された受取者特定情報と前記記憶された受取者特定情報とが一致することを条件として、当該アクセスが正規のアクセスであることを認証する認証手段と、
該認証手段より正規のアクセスであることが認証された場合に、当該受取者特定情報に関連付けて設けられた格納スペースに格納されているデータを前記端末に送信する送信手段と
を備えたことを要旨とする。
【００２１】
本発明のデータ受取システムでは、一のアクセスポイントに対応する無線通信エリア内に所定の端末が入った場合に、該端末から前記一のアクセスポイントへのアクセスにより、前記一のアクセスポイント以外のアクセスポイントに接続された記憶装置内に、通信回線を介して取得されるデータの格納スペースを確保する。こうした格納スペースの確保は、一のアクセスポイントにアクセスされた端末から、データを受け取る場所として、一のアクセスポイントに対応した無線通信エリア外の場所を特定する情報である場所特定情報、および前記受取者特定情報を入力し、該入力された場所特定情報に基づいて決定された対象アクセスポイントに、前記入力された受取者特定情報を、通信回線を介して送出し、該受取者特定情報を受け取った対象アクセスポイントが、該対象アクセスポイントに接続された記憶装置内に、受取者特定情報を記憶すると共に、該受取者特定情報と関連付けられた、通信回線を介して取得されるデータの格納スペースを設けることによって実現される。こうして格納スペースが設けられた後に、端末から対象アクセスポイントへのアクセスがなされたとき、受取者特定情報の入力を要求し、該入力された受取者特定情報と前記記憶された受取者特定情報とが一致することを条件として、当該アクセスが正規のアクセスであることを認証し、正規のアクセスであることが認証された場合に、当該受取者特定情報に関連付けて設けられた格納スペースに格納されているデータを端末に送信する。
【００２２】
このような本発明によれば、一のアクセスポイントに対応する無線通信エリアから他のアクセスポイントに対応する無線通信エリアに移動する予定の端末所有者は、移動前に端末から一のアクセスポイントにオフラインでアクセスすることにより、移動先の対象アクセスポイントに接続された記憶装置内に、通信回線を介して取得されるデータの格納スペースを確保し、この確保後に格納スペースに格納されたデータを、移動先での対象アクセスポイントに対するオフラインでのアクセスによって受け取ることができる。従って、必要なデータを、所望の場所で、かつ、回線の混雑状況に関係なく短いダウンロード時間で受け取ることが可能となる。この受け取りに際しては、予約時に入力された受取者特定情報に基づく認証が条件とされるので、格納スペースに格納されたデータが第三者に閲覧されてしまうことがなく、セキュリティを確保することができる。
【００２３】
【発明の実施の形態】
以上説明した本発明の構成および作用を一層明らかにするために、以下本発明の実施の形態を、以下の順序で説明する。
Ａ．実施例（ウェブコンテンツの予約受取システムＫＨ）
Ａ−１．ウェブコンテンツの予約受取システムＫＨの全体構成
Ａ−２．アクセスポイント２０，１２０が実行する処理の内容
Ａ−３．作用効果
Ｂ．変形例
【００２４】
Ａ．実施例：
Ａ−１．広告配信システムＫＨの全体構成：
図１は本発明の実施例であるウェブコンテンツの予約受取システムＫＨ（以下、予約受取システムＫＨという）の概要を示す説明図である。予約受取システムＫＨは、所望のコンテンツの取得を、地点Ｘ１（例えば、横浜市内の駅）で予約しておき、該取得が予約されたコンテンツを、地点Ｘ１から離間した地点Ｘ２（例えば、大阪市内のホテル）で受け取るシステムである。なお、こうしたコンテンツとしては、テキスト、画像、音声、動画、あるいはこれらの組合わせなど、種々のものを考えることができる。また、受け取ろうとするこれらのコンテンツは、後述するように、いわゆるウェブサーバ上に置かれたコンテンツとして転送の対象としてもよいし、ＦＴＰなどのプロトコルによりネットワークを介して受け取るファイルや手動で転送されるデータとしても良い。第１実施例では、代表的なコンテンツとして、インターネットＩＮに接続されたサーバ上のウェブコンテンツを取り上げ、インターネットＩＮを介してこのウェブコンテンツを取得する手法について説明する。
【００２５】
図１に示すように、上記地点Ｘ１を含む範囲に形成された第１通信エリアＡＲ１には、無線ＬＡＮ用の中継器であるアクセスポイント（無線基地局）２０が設置されている。アクセスポイント２０は、ＩＥＥＥ８０２．１１ｂ規格に準拠した中継器であり、最大１１Ｍｂｐｓの通信速度を有する。アクセスポイント２０は、周波数が２．４ＧＨｚの電波を発信ないし受信可能に構成されている。図１では、アクセスポイント２０から発信された電波が届く範囲を第１通信エリアＡＲ１として表わしている。こうしたアクセスポイント２０の設置により、第１通信エリアＡＲ１内を無線通信範囲とした無線ＬＡＮが組まれる。
【００２６】
よって、第１通信エリアＡＲ１内に入ったコンピュータとしての端末５０は、端末５０に装着された無線ＬＡＮアダプタ５２とアクセスポイント２０との間で電波を送受信することにより、アクセスポイント２０との通信を無線で行なう。アクセスポイント２０および無線ＬＡＮアダプタ５２は、データ形式をコンピュータが扱う形式と電波に乗る形式との間で自由に変換することが可能であり、これにより、端末５０とアクセスポイント２０との間において、オフライン（インターネットに接続されていない状態）でデータのやり取りをすることができる。
【００２７】
また、アクセスポイント２０のＬＡＮポート２２には、有線ＬＡＮのケーブル分配器であるハブ６４がイーサネット（登録商標  以下、同じ）ケーブル６５を介して接続されている。このようにアクセスポイント２０にハブ６４が接続されることにより、第１通信エリアＡＲ１内では無線ＬＡＮと有線ＬＡＮとが融合された第１ＬＡＮが構築されている。
【００２８】
よって、イーサネット規格に準じたアダプタ６２を備えたコンピュータとしての端末６０は、該アダプタ６２と第１通信エリアＡＲ１内に配置されたハブ６４のポートとをイーサネットケーブル６６で接続することにより、アクセスポイント２０との通信をイーサネットケーブル６６，６５を介して有線で行なう。これにより、端末６０とアクセスポイント２０との間において、オフラインでデータのやり取りをすることができる。
【００２９】
なお、図１では、端末５０，６０の一例として、ノート型のパーソナルコンピュータを表わしているが、勿論、携帯情報端末（Ｐｅｒｓｏｎａｌ  Ｄｉｇｉｔａｌ  Ａｓｓｉｓｔａｎｔ）等の他の端末であっても差し支えない。
【００３０】
図１に示すように、アクセスポイント２０のＷＡＮポート２４には、モデムを内蔵したルータ２８がケーブルを介して接続されている。ルータ２８は、各端末５０，６０に装着されたアダプタ５２，６２に固有の認識番号（ＭＡＣアドレス）に基づいて第１ＬＡＮ内の端末５０，６０を区別することができる。
【００３１】
ルータ２８内のモデムは、ＣＡＴＶ回線，ｘＤＳＬ回線等のブロードバンドな通信回線ＣＬ、プロバイダＰＶの専用回線を介してインターネットＩＮに接続されている。即ち、ルータ２８は、第１ＬＡＮをインターネットＩＮに接続するゲートウェイとして機能する。これにより、第１通信エリアＡＲ１内にいる不特定多数人は、自己の端末をアクセスポイント２０を通じてインターネットＩＮに接続し、インターネットＩＮ上のウェブサーバＳＶに格納された種々のウェブコンテンツを取得することができる。即ち、第１通信エリアＡＲ１は既述したフリースポットとされている。
【００３２】
一方、上記地点Ｘ２を含む範囲に形成された第２通信エリアＡＲ２には、アクセスポイント２０と同じ構成を有するアクセスポイント１２０が設置されている。なお、アクセスポイント１２０に直接的または間接的に接続されるルータ１２８、ハブ１６４、イーサネットケーブル１６６，１６５も、上記ルータ２８、ハブ６４、イーサネットケーブル６６，６５と同様の構成を有する。これにより、第２通信エリアＡＲ２内でも、第１通信エリアＡＲ１内と同様の手法で、無線ＬＡＮと有線ＬＡＮとが融合された第２ＬＡＮが構築されている。なお、図１では、第１通信エリアＡＲ１内に入っていた端末５０，６０が、後に第２通信エリアＡＲ２に移動することを表わすために、第２通信エリアＡＲ２内の端末５０，６０や無線ＬＡＮアダプタ５２，アダプタ６２を二点鎖線を用いで示している。
【００３３】
アクセスポイント１２０のＷＡＮポート１２４は、上記アクセスポイント２０と同様に、ルータ１２８，通信回線ＣＬ、プロバイダＰＶの専用回線を介してインターネットＩＮに接続されており、ルータ１２８は、第２ＬＡＮをインターネットＩＮに接続するゲートウェイとして機能する。これにより、第２通信エリアＡＲ２内にいる不特定多数人は、自己の端末をアクセスポイント１２０を通じてインターネットＩＮに接続し、インターネットＩＮ上のウェブサーバＳＶに格納された種々のウェブコンテンツを取得することができる。即ち、第２通信エリアＡＲ２は既述したフリースポットとされている。
【００３４】
また、第２ＬＡＮ内のルータ１２８は、インターネットＩＮを介して第１ＬＡＮ内のルータ２８に接続されている。これにより、アクセスポイント１２０とアクセスポイント２０との間において、オンライン（インターネットに接続された状態）でデータのやり取りをすることができる。
【００３５】
アクセスポイント２０には、ＣＰＵ，ＲＯＭ，ＲＡＭ等を備えた制御装置２１とデータを記憶する記憶装置２３が内蔵されている。制御装置２１は、第１ＬＡＮ内におけるオフラインでのデータのやり取りやアクセスポイント１２０との間におけるオンラインでのデータのやり取りに関する各種の処理を実行し、記憶装置２３は、制御装置２１で実行された処理の結果をデータとして格納する。アクセスポイント１２０にも、制御装置２１，記憶装置２３と同じ機能を有する制御装置１２１，記憶装置１２３が内蔵されている。
【００３６】
制御装置１２１は、第２ＬＡＮ内におけるオフラインでのデータのやり取りやアクセスポイント２０との間におけるオンラインでのデータのやり取りに関する各種の処理を実行し、記憶装置１２３は、制御装置１２１で実行された処理の結果をデータとして格納する。勿論、このような制御装置２１，１２１や記憶装置２３，１２３を、アクセスポイント２０，１２０に内蔵することなく、アクセスポイント２０，１２０に有線または無線で接続する構成としても差し支えない。例えば、外付け型の記憶装置２３，１２３とアクセスポイント１２０とをケーブル線で接続した構成を考えることができる。
【００３７】
アクセスポイント２０，１２０内の制御装置２１，１２１が実行する特徴的な処理の内容について、以下、図２を参照しつつ具体的に説明する。
【００３８】
まず、第１通信エリアＡＲ１内の端末５０，６０の所有者は、端末５０，６０を操作して、自己が受け取りを希望するウェブコンテンツを特定する情報（以下、コンテンツ特定情報という）、ウェブコンテンツを受け取る場所として第１通信エリアＡＲ１外の場所を特定する情報（以下、場所特定情報という）を端末５０，６０に入力する。端末５０，６０は、入力されたコンテンツ特定情報および場所特定情報を、ＷＥＰ（Ｗｉｒｅｄ  Ｅｑｕｉｖａｌｅｎｔ  Ｐｒｉｖａｃｙ）キーで暗号化し、第１ＬＡＮを通じてアクセスポイント２０に送信する。なお、本実施例では、第１通信エリアＡＲ１内の地点Ｘ１（具体的には、横浜市内の○○駅）にいる端末５０から、コンテンツ特定情報として「ウェブコンテンツのＵＲＬ（Ｕｎｉｆｏｒｍ  Ｒｅｓｏｕｒｃｅ  Ｌｏｃａｔｏｒ）」が送信され、場所特定情報として「地点Ｘ２の名称（具体的には、大阪市内の△△ホテル）」が送信されたものとする。
【００３９】
コンテンツ特定情報および場所特定情報がアクセスポイント２０に受信されると、制御装置２１は、当該コンテンツ特定情報および場所特定情報に固有のＩＤおよびパスワードを発行し、ＩＤおよびパスワードをＷＥＰキーで暗号化して端末５０，６０に送信する。このＩＤおよびパスワードが、ウェブコンテンツを受け取る者を特定する情報（以下、受取者特定情報という）となる。勿論、ＩＤおよびパスワード以外の情報（例えば、各端末５０，６０に装着されたアダプタ５２，６２のＭＡＣアドレス）によりウェブコンテンツを受け取る者を特定することも可能である。
【００４０】
こうして受取者特定情報の発行を行なった後、（１）制御装置２１は、受信したコンテンツ特定情報、場所特定情報を受取者特定情報に関連付けて入力する処理（情報入力処理）を行なう。これにより、端末５０，６０の所有者が受け取りを希望するウェブコンテンツに関し、コンテンツの取得の予約が受け付けられる。
【００４１】
以後、予約されたウェブコンテンツを、端末５０，６０の所有者に提供するための各種の処理が行なわれる。（２）まず、制御装置２１は、入力した場所特定情報についてエリアマップを参照し、端末５０，６０に対してコンテンツを提供するアクセスポイント（以下、提供アクセスポイントという）を決定する処理（提供ポイント決定処理）を行なう。このエリアマップは、各地のフリースポットとしての無線通信エリアや各無線通信エリアをカバーするアクセスポイントが明示された地図情報である。場所特定情報として地点Ｘ２の名称である「大阪市内の△△ホテル」という情報が入力された場合には、まず、エリアマップ上で上記△△ホテルの位置を特定し、次に、△△ホテルが属する無線通信エリアと該無線通信エリアをカバーするアクセスポイントとを特定する。本実施例では、△△ホテルがアクセスポイント１２０に対応する第２通信エリアＡＲ２内に属するものとして、提供アクセスポイントを、アクセスポイントの符号番号である「１２０」に決定したものとする。
【００４２】
（３）次に、制御装置２１は、提供アクセスポイントとして決定したアクセスポイント１２０に、入力された受取者特定情報を、コンテンツ特定情報と関連付けてＷＥＰキーで暗号化し、インターネットＩＮを介して送出する処理（送出処理）を行なう。
【００４３】
（４）受取者特定情報およびコンテンツ特定情報がアクセスポイント１２０に受信されると、制御装置１２１は、受取者特定情報およびコンテンツ特定情報を入力して記憶装置１２３内の記憶テーブルＭＡに記憶する処理（特定情報入力・記憶処理）を行なう。記憶テーブルＭＡは、アクセスポイント１２０が端末５０，６０の所有者に提供する予定のウェブコンテンツを受取者特定情報ごとに書き込むテーブルである。図２に示す例では、記憶テーブルＭＡの特定情報欄に、入力した受取者特定情報の内容（ＩＤ：ｔｏｋｋｙｏ，パスワード：＊＊＊）と、入力したコンテンツ特定情報の内容（ｈｔｔｐ：／／ｗｗｗ．…）とが、対応付けて記録されている。
【００４４】
（５）続いて、制御装置１２１は、コンテンツ特定情報としてのＵＲＬに基づいてインターネットＩＮ上のウェブサーバＳＶにアクセスし、ＵＲＬに該当するコンテンツＡを取得する処理（コンテンツ取得処理）を行ない、（６）取得したコンテンツＡの内容を表わすデータを、記憶テーブルＭＡの当該ＵＲＬに対応するデータ欄に記憶する処理（コンテンツ記憶処理）を行なう。これにより、端末５０，６０の所有者によって予約されたウェブコンテンツが取得され、取得されたウェブコンテンツＡの内容を表わすデータが前記受取者特定情報と関連付けて記憶される。
【００４５】
上記の（２）〜（６）までの一連の処理（提供ポイント決定処理，送出処理，特定情報入力・記憶処理，コンテンツ取得処理，コンテンツ記憶処理）は、制御装置２１による情報入力処理の完了後、直ちに実行されるので、地点Ｘ１においてウェブコンテンツの予約を行なった端末５０，６０の所有者が地点Ｘ２に到着するまでに完了する。これにより、制御装置１２１は、端末５０，６０の所有者に対するウェブコンテンツＡの内容を表わすデータの提供を待機する状態となる。
【００４６】
この後、（７）端末５０，６０の所有者が地点Ｘ１から地点Ｘ２に移動すると、端末５０，６０は第２通信エリアＡＲ２内に入る。この端末５０，６０からアクセスポイント１２０に対して予約したウェブコンテンツを受け取る旨のアクセスがなされると、（８）制御装置１２１は、予約したウェブコンテンツの予約時に発行された受取者特定情報（ＩＤおよびパスワード）の入力を端末５０，６０に対して要求する（受取者特定情報入力処理）。（９）制御装置１２１は、端末５０，６０から送信されたＩＤおよびパスワード（ＷＥＰキーで暗号化されたもの）を入力し、入力したＩＤおよびパスワードと記憶テーブルＭＡに記憶されたＩＤおよびパスワードとが一致することを条件として、当該アクセスが正規のアクセスであることを認証する処理を行なう（受取者認証処理）。（１０）制御装置１２１は、正規のアクセスであることが認証された場合に限り、記憶テーブルＭＡを参照して、当該ＩＤおよびパスワードと関連付けて記憶されたウェブコンテンツの内容を表わすデータを、ＷＥＰキーで暗号化して端末５０，６０に送信する処理（コンテンツ送信処理）を行なう。図２に示す例では、ＩＤとして「ｔｏｋｋｙｏ」，パスワードとして「＊＊＊」が入力された場合に限り、ウェブコンテンツＡの内容を表わすデータが端末５０，６０に送信される。
【００４７】
Ａ−３．作用効果：
以上説明した本実施例のウェブコンテンツの予約受取システムＫＨによれば、フリースポット（第１通信エリアＡＲ１）にいる端末５０，６０の所有者が他のフリースポット（第２通信エリアＡＲ２）に移動しようとする場合に、移動前に端末５０，６０からフリースポット内のアクセスポイント２０にオフラインでアクセスし、所望のウェブコンテンツの取得を予約しておけば、当該予約後にアクセスポイント１２０がオンライン（インターネットに接続された状態）でウェブサーバにアクセスすることにより予約されたウェブコンテンツが自動的に取得されるので、所望のウェブコンテンツを、移動先でのアクセスポイント１２０に対するオフラインでのアクセスによって受け取ることができる。取得が予約されたウェブコンテンツを、移動先での対象アクセスポイントに対するオフラインでのアクセスによって受け取ることができる。従って、所望のウェブコンテンツを、所望の場所で、かつ、回線の混雑状況に関係なく短いダウンロード時間で受け取ることが可能となる。この受け取りに際しては、予約時に発行ないし入力された受取者特定情報に基づく認証が条件とされるので、取得を予約したウェブコンテンツが第三者に閲覧されてしまうことがなく、セキュリティを確保することができる。
【００４８】
また、本実施例では、コンテンツ取得処理を、予約されたウェブコンテンツを提供する側の（端末所有者が移動した先での）アクセスポイント１２０が実行する構成としたので、アクセスポイント２０とアクセスポイント１２０との間でウェブコンテンツの内容を表わすデータを伝送する必要がなく、インターネット専用回線の混雑を抑制することができる。
【００４９】
Ｂ．変形例：
上記実施例では、コンテンツ取得処理を、予約されたウェブコンテンツを提供する側の（端末所有者が移動した先での）アクセスポイント１２０が実行する構成としたが、このコンテンツ取得処理を、アクセスポイント１２０以外のインターネットＩＮに接続可能な装置が実行する構成としても差し支えない。図３は、コンテンツ取得処理を、ウェブコンテンツの予約を受け付けた側の（端末所有者が移動する前の）アクセスポイント２０が実行する構成を、第１の変形例として示したものである。この場合には、アクセスポイント２０の制御装置２１が、（３）コンテンツ特定情報としてのＵＲＬに基づいてインターネットＩＮ上のウェブサーバＳＶにアクセスし、ＵＲＬに該当するコンテンツＡを取得する処理（コンテンツ取得処理）を行ない、（４）取得したコンテンツＡのデータを、入力された受取者特定情報、コンテンツ特定情報と関連付けて、インターネットＩＮを介してアクセスポイント１２０に送出する処理（送出処理）を行なう。
【００５０】
上記実施例では、所有者が、端末５０，６０の操作により、予約しようとするコンテンツ特定情報を端末５０，６０に入力する構成としたが、端末５０，６０に、コンテンツ特定情報を入力することなく、場所特定情報のみを入力し、この場所特定情報および受取者特定情報を入力したアクセスポイント２０が、記憶装置１２１内に、インターネットＩＮを介して取得されるデータの格納スペースを確保する構成としてもよい。このような構成を、第２の変形例として図４に示した。
【００５１】
この第２の変形例によれば、所有者は、自己が欲するデータの内容を、移動前に端末５０，６０からアクセスポイント２０に対して指示しなくても、データを受け取る主体と場所を指示するだけで、移動先のアクセスポイント１２０において記憶スペース設立処理が実行され、これにより、移動先のアクセスポイント１２０に接続された記憶装置１２１内の記憶テーブルＭＡに、所有者用のデータの格納スペース（図４に右下がりの斜線ハッチングで示した部分）が確保される。なお、図４には図示していないが、記憶装置１２１に格納スペースが確保されたとき、この格納スペースに管理番号が与えられ（以下、スペース管理番号という）、アクセスポイント２０の制御装置２１は、上記確保された格納スペースのスペース管理番号を、端末５０，６０に送信する処理を行なう。
【００５２】
こうして格納スペースが確保された後、所有者が移動している間に、任意のアクセスポイント２２０からアクセスポイント１２０にインターネットＩＮを介したアクセスがなされ、インターネットＩＮ上のサーバＳＶ１（ウェブサーバに限らない）に置かれたデータが取得される。こうして取得されたデータが上記の格納スペースに格納されれば、所有者は移動先でアクセスポイント１２０にアクセスして、格納スペースに格納されたデータをオフラインで受け取ることができる。
【００５３】
なお、図４には図示していないが、サーバＳＶ１に置かれたデータの取得に先立って、アクセスポイント２２０内の制御装置は、端末からの指示に基づいて、図２に示した（８）ないし（９）の処理と同様のパスワード・ＩＤによる認証処理、若しくは、上記のスペース管理番号を用いた認証処理のいずれかを行なう。前者の認証処理は、端末からアクセスポイント２２０にパスワード・ＩＤが送信されたときに行なわれ、後者の認証処理は、端末からアクセスポイント２２０にスペース管理番号が送信されたときに行なわれる。前者の認証処理が行なわれた場合には、端末所有者本人からのアクセスとみなし、取得されたデータの格納スペースへの書き込みと既に格納されているデータの読み出しの双方を許容する。一方、後者の認証処理が行なわれた場合には、端末所有者の依頼者からのアクセスとみなし、取得されたデータの格納スペースへの書き込みを許容し、既に格納されているデータの読み出しを禁止する。
【００５４】
例えば、端末５０，６０の所有者である会社の社長が、移動前の地点Ｘ１では欲しいデータの詳細が不明な場合には、とりあえず、データの受取場所を特定してアクセスポイント２０に送信すれば、ＩＤおよびパスワードおよびスペース管理番号が発行され、移動先のアクセスポイント１２０に社長用の格納スペースが確保される。この後、社長は、「移動先のアクセスポイント１２０に格納スペースが確保されていること」、「格納スペースのスペース管理番号」および「この格納スペースに明日の会議に必要な資料のデータを格納しておくこと」を秘書に伝える。秘書は、必要な資料を探した後、端末７０からアクセスポイント２２０にスペース管理番号を用いてアクセスし、必要な資料のデータを、インターネットを介したファイル転送等の手法によって格納スペースに書き込む。これにより、社長は、移動先で、自己に必要な多くの資料をオフラインで高速にダウンロードして得ることができる。なお、上記の例では、スペース管理番号を用いてアクセスされているので、秘書は既に格納スペースに書き込まれた内容を見ることができない。よって、社長のプライバシーが確保される。なお、こうした場合には、インターネットに限らず、専用回線を利用してデータを送信するものとしても良い。こうすれば、基本的に公開型のインターネットより高いセキュリティを確保することができる。また、インターネットなどのネットワーク上に仮想的に設けられた閉域ネットワーク（ＶＰＮ）などを利用して、データの転送を行っても良い。データ転送に用いるプロトコルは、インターネットなどで用いられるＨＴＴＰ，ＦＴＰ，ＴＥＬＮＥＴなど、種々のプロトコルを用いることができる。もとよりインターネット以外のネットワークを利用する場合には、そのネットワーク上で使用できるプロトコルを利用すればよい。
【００５５】
以上本発明の実施の形態を実施例および変形例に基づいて説明したが、本発明はこうした実施例に何等限定されるものではなく、本発明の要旨を逸脱しない範囲内において種々なる様態で実施し得ることは勿論である。
【００５６】
例えば、上記実施例や変形例では、ウェブコンテンツを予約した者と受け取る者との一致をＩＤおよびパスワードを用いて認証する構成としたが、こうしたＩＤおよびパスワードに替えて、ウェブコンテンツを受け取る端末を特定する情報（例えば、無線ＬＡＮアダプタ５２やアダプタ６２に固有の識別番号であるＭＡＣ（Ｍｅｄｉａ  Ａｃｃｅｓｓ  Ｃｏｎｔｒｏｌ）アドレス）を用いて認証する構成としても差し支えない。例えば、図２における（１）情報入力処理，（３）送出処理，（４）特定情報入力・記憶処理，（８）受取者特定情報入力処理，（９）受取者認証処理を、以下のような処理とすることを考えることができる。
【００５７】
（１）端末５０，６０からのコンテンツ特定情報および場所特定情報がアクセスポイント２０に受信されたとき、この受信データに基づいて、制御装置２１が、無線ＬＡＮアダプタ５２，アダプタ６２のＭＡＣ（Ｍｅｄｉａ  ＡｃｃｅｓｓＣｏｎｔｒｏｌ）アドレスを読み取って入力し、（３）このＭＡＣアドレスを、コンテンツ特定情報と関連付けて、アクセスポイント１２０にインターネットＩＮを介して送出する。（４）このＭＡＣアドレスおよびコンテンツ特定情報がアクセスポイント１２０に受信されたとき、制御装置１２１が、ＭＡＣアドレスおよびコンテンツ特定情報を入力して記憶装置１２３内の記憶テーブルＭＡに記憶する。（８）端末５０，６０からアクセスポイント１２０に対して予約したウェブコンテンツを受け取る旨のアクセスがなされたとき、制御装置１２１は、無線ＬＡＮアダプタ５２，アダプタ６２のＭＡＣアドレスを読み取り、（９）読み取ったＭＡＣアドレスと記憶テーブルＭＡに記憶されたＭＡＣアドレスとが一致することを条件として、当該アクセスが正規のアクセスであることを認証する。
【００５８】
こうすれば、予約に用いた端末５０，６０でウェブコンテンツの内容を表わすデータを受け取ることが可能となり、データを一元化することができる。加えて、端末５０，６０の所有者は、予約時や受取時に、端末５０，６０を用いてＩＤやパスワードを入力する操作を行なう必要がなく、簡便である。
【００５９】
上記実施例では、フリースポットとしての第１通信エリアＡＲ１，第２通信エリアＡＲ２内の地域Ｘ１，Ｘ２について、日本国内の地名を挙げて説明したが、インターネットＩＮが各地に散在するコンピュータネットワーク同士を専用線によって接続した世界的な規模のネットワークである以上、世界に外国の国内での２つの地点間や、国の異なる２つの地点間にも適用することができる。こうすれば、「日本国内のフリースポットでコンテンツを予約し、予約したコンテンツを米国内のフリースポットで受け取る」などといったことも可能となる。
【図面の簡単な説明】
【図１】本発明の実施例であるウェブコンテンツの予約受取システムＫＨの概要を示す説明図である。
【図２】アクセスポイント２０，１２０内の制御装置２１，１２１が実行する処理の内容を示す説明図である。
【図３】第１の変形例を示す説明図である。
【図４】第２の変形例を示す説明図である。
【符号の説明】
２０，１２０，２２０…アクセスポイント
２１，１２１…制御装置
２２…ＬＡＮポート
２３，１２３…記憶装置
２４…ＷＡＮポート
２８，１２８…ルータ
５０，６０，７０…端末
５２…無線ＬＡＮアダプタ
６４，１６４…ハブ
６５，６６，１６５，１６６…イーサネットケーブル
ＡＲ１…第１通信エリア
ＡＲ２…第２通信エリア
ＣＬ…通信回線
ＩＮ…インターネット
ＫＨ…予約受取システム
ＬＡＮ…第１
ＰＶ…プロバイダ
ＳＶ…ウェブサーバ
【図１】
2004187133.tif 000003
【図２】
2004187133.tif 000004
【図３】
2004187133.tif 000005
【図４】
2004187133.tif 000006